(57)【要約】【課題】構台に相当大きな荷重が加わっても高い安全性を確保することができる横架材およびこの横架材を用いて、支柱の数を増やすことなく脚部の数を増やすことができ、また作業床支持部の数も増やすことができる構台を提供する。【解決手段】構台１は非常に剛性の高いフレーム状の横架材１１を有しているので、構台１の強度が大幅にアップする。従って、重量の大きい作業機械を載せて相当大きな荷重が加わっても十分な安全性を得ることができる。また横架材１１を最下段に設け、下側突出部３３と支柱５の下端部を脚部としている。よって脚部の数を容易に増やすことができる。また、横架材１１を、複数の横架材１１、１３のうち最上段に設け、支柱５の上端部と上側突出部３１とによって作業床５９が支持される。従って、支柱５の上端部だけでなく横架材１１の上側突出部３１も作業床支持部とでき、作業床支持部の数を増やすことができる。【選択図】        図１
2011038352.tif 000002
【特許請求の範囲】
【請求項１】
奥行方向と幅方向に間隔をあけて立設した状態で配置された複数の支柱の支柱間に架け渡され、前記支柱に固定手段によって固定され、前記支柱と前記固定手段と共に構台を構成する横架材において、
上下方向に間隔をあけて配置された複数の横部材と、前記横部材どうしを連結する連結部とが一体化されてフレーム状に構成されていることを特徴とする横架材。
【請求項２】
請求項１に記載した横架材において、
複数の横部材に連結される縦部材を備え、前記縦部材は、最も上側に位置する横部材よりも上方に突出する上側突出部と最も下側に位置する横部材よりも下方に突出する下側突出部の少なくとも一方を有することを特徴とする横架材。
【請求項３】
奥行方向と幅方向に間隔をあけて立設した状態で配置され下端部が脚部となり且つ上端部が作業床支持部となる複数の支柱と、前記立設された支柱間に架け渡される複数の横架材と、前記横架材を前記支柱に固定する固定手段と、前記支柱の作業床支持部に支持される作業床とを有する構台において、
前記複数の横架材の少なくとも一つに、請求項１または２に記載した横架材を用いたことを特徴とする構台。
【請求項４】
請求項３に記載した構台において、
横架材は下側突出部を有しており、前記横架材は複数の横架材のうち最下段に設けられ、前記下側突出部は脚部となることを特徴とする構台。
【請求項５】
請求項３または４に記載した構台において、
横架材は上側突出部を有しており、前記横架材は複数の横架材のうち最上段に設けられ、前記上側突出部は作業床支持部となることを特徴とする構台。
支柱の上端部と共に作業床を支持することを特徴とする構台。
【発明の詳細な説明】
【技術分野】
【０００１】
本発明は、工事現場で作業機械等を設置するためなどに構築される構台を構成する横架材およびこの横架材を用いた構台に関するものである。
【背景技術】
【０００２】
土木工事や建築工事には、作業機械を設置したり高所で作業をしたりするために構台や足場が必要となり、この構台（足場）には特許文献１に記載されたものがある。
従来の構台は、複数の支柱を奥行方向と幅方向に所定間隔あけて立設した状態で配置し、立設された支柱間に一本の棒状の部材によって構成される横架材を複数架け渡して固定し、更に支柱上に作業床を敷設して構築される。
支柱の下端部は脚部となっており、この脚部を地面に突き刺したり、地面に設置される設置板を有するジャッキを介して地面に設置したりする。また支柱の上端部は作業床支持部となっており、この作業床支持部によって作業床が支持される。
【先行技術文献】
【特許文献】
【０００３】
【特許文献１】特開２００８−５７２５３号公報
【発明の概要】
【発明が解決しようとする課題】
【０００４】
しかしながら、一本の棒状の部材によって構成される従来の横架材だけを用いて構台を構成したのでは、構台に重量の大きい作業機械を載せた場合など相当大きな荷重が加わるため、高い安全性を確保する上で必ずしも十分ではない。
また、例えば軟弱な地盤に構台を設置する場合には、安定性の面から脚部の数を増やすことが望ましい。しかしながら、上記従来の構台では支柱の下端部が脚部となっているため、脚部の数を増やすためには支柱の数を増やさなければならない。支柱の数は構台全体の大きさによって決定されるものであり、よって脚部の数を増やすことは難しいという問題がある。また、作業床支持部も作業床の強度を確保する上で、その数を増やすことが望ましいが、上記と同じ理由により、増やすことが難しいという問題がある。
【０００５】
本発明は上記従来の問題点に着目して為されたものであり、構台に相当大きな荷重が加わっても高い安全性を確保することができる横架材およびこの横架材を用いて、支柱の数を増やすことなく脚部の数を増やすことができ、また作業床支持部の数も増やすことができる構台を提供することを、その目的とする。
【課題を解決するための手段】
【０００６】
本発明は上記課題を解決するためになされたものであり、請求項１の発明は、奥行方向と幅方向に間隔をあけて立設した状態で配置された複数の支柱の支柱間に架け渡され、前記支柱に固定手段によって固定され、前記支柱と前記固定手段と共に構台を構成する横架材において、上下方向に間隔をあけて配置された複数の横部材と、前記横部材どうしを連結する連結部とが一体化されてフレーム状に構成されていることを特徴とする横架材である。
【０００７】
請求項２の発明は、請求項１に記載した横架材において、複数の横部材に連結される縦部材を備え、前記縦部材は、最も上側に位置する横部材よりも上方に突出する上側突出部と最も下側に位置する横部材よりも下方に突出する下側突出部の少なくとも一方を有することを特徴とする横架材である。
【０００８】
請求項３の発明は、奥行方向と幅方向に間隔をあけて立設した状態で配置され下端部が脚部となり且つ上端部が作業床支持部となる複数の支柱と、前記立設された支柱間に架け渡される複数の横架材と、前記横架材を前記支柱に固定する固定手段と、前記支柱の作業床支持部に支持される作業床とを有する構台において、前記複数の横架材の少なくとも一つに、請求項１または２に記載した横架材を用いたことを特徴とする構台である。
【０００９】
請求項４の発明は、請求項３に記載した構台において、横架材は下側突出部を有しており、前記横架材は複数の横架材のうち最下段に設けられ、前記下側突出部は脚部となることを特徴とする構台である。
【００１０】
請求項５の発明は、請求項３または４に記載した構台において、横架材は上側突出部を有しており、前記横架材は複数の横架材のうち最上段に設けられ、前記上側突出部は作業床支持部となることを特徴とする構台。
【発明の効果】
【００１１】
本発明の横架材を用いて構台を構成すれば、構台に相当大きな荷重が加わっても高い安全性を確保することができる。
また、支柱の数を増やすことなく脚部の数を増やすことが可能となり、また作業床支持部の数も増やすことが可能となる。
【図面の簡単な説明】
【００１２】
【図１】本発明の実施の形態１に係る構台の側面図である。
【図２】図１の構台を構成する支柱と横架材の斜視図である。
【図３】図１の構台の最下段部分の拡大斜視図である。
【図４】実施の形態２に係る構台の最下段部分の拡大斜視図である。
【発明を実施するための形態】
【００１３】
本発明の実施の形態１に係る構台１を図１から図３にしたがって説明する。
構台１は、後述する支柱５、横架材１１、横架材１３、作業床５９等によって構成される。
符号５は金属製の丸パイプから成る支柱を示し、この支柱５の外周には板材をコの字状に屈曲して形成した差し込み部７が４つを一組として備えられている。この差し込み部７の両端部は支柱５の外周面に固定されており、差し込み部７の内面と支柱５の外周面とによって上下方向に開口する差込口９が形成されている。４つを一組とする差し込み部７は上下方向に所定の間隔をあけて複数組設けられている。
【００１４】
符号１３は１本の鋼製の丸パイプから成る横架材を示し、この横架材１３の両端にはブラケット４１がそれぞれ設けられている。ブラケット４１は略コの字状を為しており、垂直部４３、上側水平部４５及び下側水平部４７を有している。上側水平部４５と下側水平部４７とには四角い穴４９がそれぞれ形成されており、これらの穴４９は互いに対向している。
符号５１は楔を示し、この楔５１は、前述した穴４９と差込口９に嵌め込み可能となっている。
固定手段は差し込み部７、ブラケット４１及び楔５１によって構成されている。
【００１５】
符号１１は鋼製の横架材を示し、この横架材１１は後に詳細に説明するようにフレーム状に形成されている。横架材１１は丸パイプから成る縦部材２５を中央部に有しており、この縦部材２５を中心として左右対称の構成となっているので、左側の構成について説明し、右側の構成については左側の構成と同じ符号を付して、その説明を省略する。
【００１６】
縦部材２５には、上下方向に間隔をあけて配置された二つの横部材１５、１７の一端部が溶接されて連結されている。上側の横部材１５と下側の横部材１７には、丸パイプから成る連結部材２１と板材から成る連結部材１９、２３が渡設され溶接により固定されている。
連結部材２１は横部材１５、１７間の外寄りに垂直姿勢で備えられている。また連結部材１９は、その下端部が縦部材２５の近傍に、また上端部が連結部材２１の近傍に位置しており、傾斜姿勢で備えられている。連結部材２３は、その下端部が連結部材２１の近傍に、また上端部が上側の横部材１５の外寄りの端部の近傍に位置しており、傾斜姿勢で備えられている。
【００１７】
このように横架材１１は、連結部材１９、２１、２３が横部材１５、１７どうしを連結しており、縦部材２５、四本の横部材１５、１７及び六本の連結部材１９、２１、２３が一体化されてフレーム状に構成されている。
【００１８】
縦部材２５の上端部は横部材１５よりも上方に突出しており、この突出した部分が上側突出部３１となっている。
また、縦部材２５の下端部は横部材１７よりも下方に突出しており、この突出した部分が下側突出部３３となっている。
横架材１１の横部材１５、１７の両端部には、前述した横架材１３と同様にブラケット４１がそれぞれ設けられている。
横架材１１は以上のように構成されている。
図３に示すように筋交い５３は、角パイプと、その両端に固定された連結金具とによって構成されている。
【００１９】
次に、構台１の組み立て方法について説明する。
図１に示すように構台１の設置場所は傾斜面であり、配置場所によって長さ寸法の異なる支柱５を用いる。
図３に示すように支柱５を立設状態に備え、次いで別の支柱５を奥行き方向または幅方向に所定間隔あけて立設状態にする。なお、支柱５の下端部は地面に差し込まれて脚部として機能する。そして、支柱５間の地面に横架材１１を配置して、ブラケット４１を支柱５の差し込み部７に嵌め、楔５１を穴４９と差込口９に嵌め込んで、横架材１１を支柱５に固定する。これにより横架材１１が支柱５間に架け渡された状態で連結される。なお、横架材１１の下側突出部３３の下端部も地面に差し込まれて脚部として機能する。
このように奥行き方向や幅方向に支柱５を配置して上記作業を繰り返して、支柱５どうしを横架材１１によって連結し、所定数の支柱５と横架材１１とを組んでいく。
【００２０】
次に、横架材１１の上側にある程度間隔をあけて、一本のパイプから成る横架材１３を配置する。そして、上記と同様にしてブラケット４１を差し込み部７に嵌め、楔５１を穴４９と差込口９に嵌め込んで、横架材１３を支柱５に固定する。これにより支柱５間に横架材１３が架け渡される。そして、横架材１３と横架材１１に筋交い５３を取り付ける。更に横架材１３の上側にある程度間隔をあけて横架材１３を配置し、上記と同様にして横架材１３を支柱５間に架け渡す。そして上側の横架材１３と下側の横架材１３に筋交い５３を取り付ける。
【００２１】
同様にして奥行き方向や幅方向に横架材１１、１３を架け渡し、筋交い５３を取り付ける。そして上下方向に間隔をあけていくつか架け渡された横架材１３の上側に、更に横架材１１を架け渡し、この横架材１１と横架材１３に筋交い５３を取り付ける。
図１に示すように横架材１１は最上段と最下段とに配置される。
【００２２】
次に、支柱５の上端部と、最上段に設けられた横架材１１の上側突出部３１とに大引受５５をそれぞれ嵌め、この大引受５５に大引としての角パイプ５７を嵌める。そして角パイプ５７に交差するように長板状パネル５８を載せて敷き詰めていく。これにより作業床５９が構築される。作業床５９は角パイプ５７と大引受５５を介して、支柱５の上端部と、最上段に設けられた横架材１１の上側突出部３１とによって支持される。
そして、作業床５９の周縁に複数の手摺支柱６１を立設し、これらの手摺支柱６１に手摺用部材６３を架け渡して手摺６４を構成する。
【００２３】
上記したように横架材１１は縦部材２５、四本の横部材１５、１７及び六本の連結部材１９、２１、２３が一体化されてフレーム状に構成されているため、非常に高い剛性を有している。従って、構台１の強度が大幅にアップして、重量の大きい作業機械を載せて相当大きな荷重が加わっても十分な安全性を得ることができる。
【００２４】
また、上記したように横架材１１を、複数の横架材１１、１３のうち最下段に設け、下側突出部３３と支柱５の下端部を脚部としている。従って、支柱５の下端部だけでなく横架材１１の下側突出部３３も脚部とでき、脚部の数を増やすことが可能となる。
【００２５】
横架材１１を、複数の横架材１１、１３のうち最上段に設け、支柱５の上端部と上側突出部３１とによって作業床５９が支持される。従って、支柱５の上端部だけでなく横架材１１の上側突出部３１も作業床支持部とでき、作業床支持部の数を増やすことができる。
従って、軟弱な地盤に設置する場合でも非常に安定性のよい構台１を構築することが可能である。
【００２６】
次に、実施の形態２に係る構台１０１を図４にしたがって説明する。
実施の形態２に係る構台１０１は、ジャッキ１０３を支柱５の下端部に備えた点を除き、実施の形態１に係る構台１と同様の構成となっているので、構台１と同様の構成部分については、同じ符号を付すことで説明を省略する。
ジャッキ１０３は、矩形平板から成る設置板１０５と、この設置板１０５に立設された雄ネジ部１０７と、この雄ネジ部１０７に螺合する雌ネジ穴１０９が形成された操作部１１１とから成っている。操作部１１１のハンドル１１３を回せば雄ネジ部１０７の突出寸法を調整することができる。
ジャッキ１０３の設置板１０５を地面に設置して、支柱５はジャッキ１０３を介して地面に支持される。
【００２７】
以上、本発明の実施の形態について詳述してきたが、具体的構成は、この実施の形態に限られるものではなく、本発明の要旨を逸脱しない範囲における設計の変更などがあっても発明に含まれる。
例えば横架材１１はフレーム状であれば、上記構成に限定されず、横部材の数、縦部材の数、縦部材の姿勢等、任意に設定できる。
【産業上の利用可能性】
【００２８】
本発明は土木、建築業及び土木、建築業において使用する設備の製造業において利用が可能である。
【符号の説明】
【００２９】
１…構台      ５…支柱      ７…差し込み部
９…差込口      １１、１３…横架材      １５、１７…横部材
１９、２１、２３…連結部材      ２５…縦部材
３１…上側突出部      ３３…下側突出部      ４１…ブラケット
４３…垂直部      ４５…上側水平部      ４７…下側水平部
４９…穴      ５１…楔      ５３…筋交い
５５…大引受      ５７…角パイプ      ５８…長板状パネル
５９…作業床      ６１…手摺支柱      ６３…手摺用部材
６４…手摺
１０１…構台      １０３…ジャッキ      １０５…設置板
１０７…雄ネジ部      １０９…雌ネジ穴      １１１…操作部
１１３…ハンドル
【図１】
2011038352.tif 000003
【図２】
2011038352.tif 000004
【図３】
2011038352.tif 000005
【図４】
2011038352.tif 000006